(57)【要約】      （修正有）【課題】カプセルの中に容易に収容できるとともに、カプセルから取り出した後で自立させて自由に飾ることのできる、立体感に富んだマスコットを提供する。【解決手段】カプセル２００の中に収容可能なマスコット１００であって、カプセルから取り出し後にカプセルを収容することのできる内部空間１０４と、内部空間にカプセルを入れるための、開け閉め自在に構成された収容口１０６とが設けられ、表面に所定の意匠が施されている。【選択図】図６
0003216493.tif 000002
【実用新案登録請求の範囲】
【請求項１】
カプセルを収容することのできる内部空間と、
前記内部空間に前記カプセルを入れるための、開け閉め自在に構成された収容口とを備えており、
表面に所定の意匠が施されたマスコット。
【請求項２】
前記カプセルから取り出して前記表面に取り付けられる別体パーツを含んでいることを特徴とする請求項１に記載のマスコット。
【請求項３】
請求項１または２に記載されたマスコットと、
前記マスコットを収容できるとともに、前記マスコットの前記内容空間に収容され得るカプセルとを備えるカプセルトイ。
【考案の詳細な説明】
【技術分野】
【０００１】
本考案は、例えば、カプセルトイとして販売されるマスコット、およびそれを備えるカプセルトイに関する。
【背景技術】
【０００２】
例えば特許文献１に示すように、従前から、マスコットをカプセルの中に入れてカプセルトイとして販売されている。
【先行技術文献】
【特許文献】
【０００３】
【特許文献１】実用新案登録第３２０７２７８号明細書
【考案の概要】
【考案が解決しようとする課題】
【０００４】
ところで、このマスコットをカプセルの大きさよりも大きくしようとすると、例えば、カプセルの中に無理に押し込んだり、あるいは、単なる布地だけのマスコットにして、この布地を折り畳むようにしてカプセルの中に収容したりするしかなかった。
【０００５】
しかしながら、マスコットをカプセルの中に無理に押し込むと、カプセルから取り出したときの当該マスコットに型崩れが生じてしまうおそれがあった。また、単なる布地だけのマスコットだと立体感がなく、かつ、自立させることができないことからカプセルから取り出して自由に飾ることができないおそれがあった。
【０００６】
したがって、本考案の目的は、カプセルの中に容易に収容できるとともに、当該カプセルから取り出した後で自立させて自由に飾ることのできる、立体感に富んだマスコットを提供することにある。
【課題を解決するための手段】
【０００７】
本考案の一局面によれば、
カプセルを収容することのできる内部空間と、
前記内部空間に前記カプセルを入れるための、開け閉め自在に構成された収容口とを備えており、
表面に所定の意匠が施されたマスコットが提供される。
【０００８】
好適には、前記カプセルから取り出して前記表面に取り付けられる別体パーツを含んでいる。
【０００９】
本考案の別の局面によれば、
前記マスコットと、
前記マスコットを収容できるとともに、前記マスコットの前記内容空間に収容され得るカプセルとを備えるカプセルトイが提供される。
【考案の効果】
【００１０】
本考案によれば、例えば、布地だけで構成することによってカプセルの中に容易に収容できるとともに、当該カプセルから取り出した後、収容口を介して内部空間にカプセルを収容することで自立させて飾ることなどができる、立体感に富んだマスコットを提供することができた。
【図面の簡単な説明】
【００１１】
【図１】本考案に係るマスコット１００に関するひとつの実施形態を示す正面図である。
【図２】本考案に係るマスコット１００に関するひとつの実施形態を示す背面図である。
【図３】本考案に係るマスコット１００に関するひとつの実施形態において、収容口１０６を開けた状態を示す背面図である。
【図４】カプセル２００に関するひとつの実施形態を示す図である。
【図５】カプセル２００からマスコット本体１０２を取り出す様子を示す図である。
【図６】マスコット本体１０２の内部空間１０４にカプセル２００を収容する様子を示す図である。
【図７】変形例１に係るマスコット１００の実施形態を示す図である。
【図８】変形例２に係るマスコット１００の実施形態を示す図である。
【図９】変形例３に係るカプセル２００の実施形態を示す図である。
【考案を実施するための形態】
【００１２】
本考案が適用されたマスコット１００の一例（実施形態１）を図１から図３に示す。このマスコット１００は、例えば、折り畳むなどして圧縮させた後でカプセル２００に収容される。なお、本明細書では、マスコット１００がカプセル２００に収容された状態をカプセルトイ３００という。
【００１３】
マスコット１００は、マスコット本体１０２と、カプセル２００を収容することのできる内部空間１０４と、収容口１０６とを備えている。
【００１４】
マスコット本体１０２は、例えば布地やビニル地といった、折り畳んだり丸めたりして圧縮させることのできる素材で形成されている。マスコット本体１０２の表面には、所定の模様１０８が施されており、例えば動物を模ったマスコット１００であれば、目や鼻や口が描かれている。さらに、単にマスコット本体１０２の表面に描くだけでなく、上記のように動物を模ったマスコット１００であれば、耳などの立体パーツ１１０をマスコット本体１０２の表面に取り付けてもよい。これら模様１０８および立体パーツ１１０により、マスコット本体１０２の表面に意匠が施されている。
【００１５】
収容口１０６は、内部空間１０４にカプセル２００を入れるために設けられた通孔１１２を開閉する部分である。本実施形態の場合、通孔１１２に隣接する一方のマスコット本体１０２の縁部内側に面ファスナ１１４が取り付けられており、この面ファスナ１１４が他方のマスコット本体１０２の縁部外側に着脱されることにより、収容口１０６としての機能が担保されている。
【００１６】
カプセル２００は、図４に示すように、例えばそれぞれ半球状に形成された一対のカプセル構成部材２０２で構成されている。これら一対のカプセル構成部材２０２を組み合わせることにより、略球状のカプセル２００が形成される。なお、各カプセル構成部材２０２の内側にはそれぞれ凹所２０４が形成されており、上述のように一対のカプセル構成部材２０２を組み合わせることによってマスコット本体１０２が収容される収容空間２０６がカプセル２００の内部に形成されるようになっている。
【００１７】
（マスコット１００の特徴）
本実施形態のマスコット１００によれば、マスコット１００を折り畳むなどして圧縮した状態でカプセル２００内の収容空間２０６に収容しておき、カプセルトイ３００としてユーザに販売する。図５に示すように、このカプセルトイ３００を購入したユーザは、カプセル２００を形成する一対のカプセル構成部材２０２を互いに分離してマスコット１００を取り出す。
【００１８】
然る後、図６に示すように、ユーザは、一対のカプセル構成部材２０２を再び組み合わせてカプセル２００に戻し、このカプセル２００をマスコット１００の収容口１０６から通孔１１２を介して内部空間１０４に収容する。カプセル２００を収容した後は、面ファスナ１１４を用いて収容口１０６を塞ぐ。
【００１９】
これにより、例えば、布地だけで構成することによってカプセル２００の中に容易に収容できるとともに、当該カプセル２００から取り出した後、収容口１０６を介して内部空間１０４にカプセルを収容することで自立させて飾ることなどができる、立体感に富んだマスコット１００を提供することができた。
【００２０】
（変形例１）
上述したマスコット１００は、マスコット本体１０２の表面に取り付けられた立体パーツ１１０のみを有していたが、図７に示すように、さらに別体パーツ１２０を加えてもよい。この別体パーツ１２０は、マスコット本体１０２と一緒にカプセル２００の収容空間２０６に収容されており、カプセル２００から取り出した後、マスコット本体１０２の表面に対して接着や縫い付けなどの公知手段で取り付けられる。これにより、マスコット１００の意匠をさらに複雑でデザイン性の高いものにすることができる。
【００２１】
（変形例２）
上述したマスコット本体１０２は一体形状であったが、これに変えて、図８に示すように、互いに分離できる複数のマスコット本体構成部材１３０を組み合わせることによってマスコット本体１０２を構成できるようにしてもよい。図示した例に係るマスコット本体１０２は、凹所１３２を有する上下２つのマスコット本体構成部材１３０で構成されており、これらマスコット本体構成部材１３０を互いに組み合わせることによってマスコット本体１０２の内部空間１０４が形成される。
【００２２】
これらマスコット本体構成部材１３０を互いに分離させた状態で少なくともいずれか一方の凹所１３２にカプセル２００を入れ、然る後、２つのマスコット本体構成部材１３０を互いに組み合わせることによって内部空間１０４にカプセル２００を収容した状態でマスコット１００が完成する。
【００２３】
つまり、この実施形態では、少なくともいずれか一方のマスコット本体構成部材１３０における凹所１３２の開口が「収容口１０６」となる。
【００２４】
（変形例３）
また、上述したカプセル２００は略球状であったが、カプセル２００の形状はこれに限定されるものではなく、マスコット１００の形状に応じたあらゆる形状にすることができる。一例を挙げると、図９に示すような卵型であってもよい。このようにカプセル２００の形状を卵形にすることで、卵形のカプセル２００から取り出されるマスコット１００があたかもカプセル２００から生まれた生き物であるかのように演出することができ、マスコット１００が有する世界観にストーリー性を与えることができる。
【００２５】
（変形例４）
さらに、上述した実施形態ではカプセル２００全体をマスコット本体１０２に収容するようにしていたが、これに変えて、カプセル２００の一部（例えば、いずれか一方のカプセル構成部材２０２）のみをマスコット本体１０２に収容するようにしてもよい。
【００２６】
今回開示された実施の形態はすべての点で例示であって制限的なものではないと考えられるべきである。本考案の範囲は、上記した説明ではなく、実用新案登録請求の範囲によって示され、実用新案登録請求の範囲と均等の意味および範囲内でのすべての変更が含まれることが意図される。
【符号の説明】
【００２７】
１００…マスコット、１０２…マスコット本体、１０４…内部空間、１０６…収容口、１０８…（マスコット本体１０２の表面における）模様、１１０…立体パーツ、１１２…通孔、１１４…面ファスナ、１２０…別体パーツ、１３０…マスコット本体構成部材
２００…カプセル、２０２…カプセル構成部材、２０４…凹所、２０６…収容空間
３００…カプセルトイ
【図１】
0003216493.tif 000003
【図２】
0003216493.tif 000004
【図３】
0003216493.tif 000005
【図４】
0003216493.tif 000006
【図５】
0003216493.tif 000007
【図６】
0003216493.tif 000008
【図７】
0003216493.tif 000009
【図８】
0003216493.tif 000010
【図９】
0003216493.tif 000011